(57)【特許請求の範囲】
【請求項１】
糸掛け部を有する重り部の前側に延設片を設け、前記延設片は、前方に開口部を有する筒状に形成され、該延設片にルア−に係合する捕獲部を揺動自在に設けたことを特徴とする釣り用ルア−回収具。
【請求項２】
前記延設片は糸掛け部より上方に突出し、前記延設片の糸掛け部より上方に突出した部位に捕獲部が設けられていることを特徴とする請求項１記載の釣り用ルア−回収具。
【請求項３】
糸掛け部を有する重り部の前側に延設片を設け、前記延設片は糸掛け部より上方に突出し、該延設片の糸掛け部より上方に突出した部位にルア−に係合する捕獲部を揺動自在に設けたことを特徴とする釣り用ルア−回収具。
【発明の詳細な説明】
【技術分野】
【０００１】
本発明は、ルア−等の釣針の根掛かりを外す釣り用ルア−回収具の改良に関する。
【背景技術】
【０００２】
従来から釣りでは、根掛かりをすることがあり仕掛けの回収に苦心していた。
特にルア−を用いた釣りでは、キャストしたルア−を動かしながら引いてくるため根掛かりが多発し、根掛かりを外しルア−を回収するルア−回収具が用いられていた。
特許文献１のように重り部にコイル状の糸掛け部を兼用する捕獲部を設けたルア−回収具が紹介されている。
このルア−回収具はコイル状部を釣り糸を掛けて釣り糸に沿って滑り落し、コイル状部を釣り糸とルア−の接続部に係合させてルア−を回収するようになっている。
ところが、このルア−回収具ではコイル状部材の一端がルア−接続に用いたよりもどしやスナップに差し込まれなければならず、これらに設けられた孔は非常に小さいために回収が難しいと考えられる。
更に本願図５のように重り部２にコイル状の糸掛け部１″を設けると共に重り部２の先端に鎖状の捕獲部４を垂下させているルア−回収具が知られているが、重り部２が回収するルア−６に近接しても鎖状の捕獲部４の高さ位置が低いのでルア−６を捕獲することが出来ない。
【特許文献１】特許第３０４６２６４号公報
【発明の開示】
【発明が解決しようとする課題】
【０００３】
解決しようとする問題点は、特許文献１のルア−回収具では、コイル状部材の一端がルア−接続に用いたよりもどしやスナップに差し込まれ難いので回収することができず、図５のルア−回収具では鎖状の捕獲部の高さ位置の関係で捕獲が難しいことである。
【０００４】
本発明の目的は前記欠点に鑑み、確実にルア−を捕獲できる釣り用ルア−回収具を提供することである。
【課題を解決するための手段】
【０００５】
本発明の請求項１は、糸掛け部を有する重り部の前側に延設片を設け、前記延設片は、前方に開口部を有する筒状に形成され、該延設片にルア−に係合する捕獲部を揺動自在に設けたことを要旨とするものである。
本発明の請求項２は、前記延設片は糸掛け部より上方に突出し、前記延設片の糸掛け部より上方に突出した部位に捕獲部が設けられていることを要旨とするものである。
本発明の請求項３は、糸掛け部を有する重り部の前側に延設片を設け、前記延設片は糸掛け部より上方に突出し、該延設片の糸掛け部より上方に突出した部位にルア−に係合する捕獲部を揺動自在に設けたことを要旨とするものである。
【発明の効果】
【０００６】
本発明の請求項１により、筒状の延設片の内部にルアーの少なくとも一部が入り込み、ルアーの釣り針が捕獲部に係合しやすく、ルアーを確実に回収しやすくなる。
本発明の請求項２により、捕獲部が糸掛け部より高い位置から垂下されているためルアーの釣り針に接触しやすい。
本発明の請求項３により、延設片に設けられた捕獲部が糸掛け部より高い位置から垂下されているためルアーの釣り針が捕獲部に係合しやすく、ルアーを確実に回収することができる。
【発明を実施するための最良の形態】
【０００７】
釣り用ルア−回収具は糸掛け部１、１を有する重り部２の前側に延設片３、３を設け、延設片３、３に夫々捕獲部４、４が取り付けられ、重り部２の後端部に紐状部材５が取り付けられている。
【実施例１】
【０００８】
以下、図示の実施例によって本発明を説明すると、図１、図２は第１実施例で、図１は根掛かりしたルア−に接続された釣り糸に取り付けられて滑り降ろされた釣り用ルア−回収具の斜視図、図２は根掛かりしたルア−に釣り用ルア−回収具の捕獲部が絡まされた斜視図である。
【０００９】
釣り用ルア−回収具は糸掛け部１、１を有する重り部２の前側に延設片３、３を設け、延設片３、３に夫々捕獲部４、４が取り付けられ、重り部２の後端部に紐状部材５が取り付けられている。
ルア−６には釣り糸７が接続されると共に、ルア−６に釣り針８、８が取り付けられている。
釣り用ルア−回収具が使用される時は、根掛かりしたルア−６に接続された釣り糸７に糸掛け部１、１を引っ掛けて重り部２を吊り下げると共に、釣り糸７に沿って重り部２をルア−６の近傍までスライドさせて捕獲部４、４でルア−６を捕獲し、ルア−６を回収する。
重り部２は金属や合成樹脂等で水に沈むように形成され、その上側に糸掛け部１、１が設けられている。
糸掛け部１、１はフック状に形成され、釣り糸７に引っ掛けた時に釣り糸７に沿って移動可能になっている。
糸掛け部１、１は重り部２の前方側と後方側に設けられ重り部２が安定して釣り糸７に沿ってスライドするようになっている。
重り部２はその重心が前後方向の前方側にありスライドしやすくなっている。
【００１０】
重り部２の前側にはその前方側に向けてア−ムからなる延設片３、３が突設され、延設片３、３の夫々先端側に垂下するように金属製の鎖状の捕獲部４、４が取り付けられている。
捕獲部４、４は重り部２の前方に重り部２と間隙を有して配置されている。
この捕獲部４、４は鎖状であるため延設片３、３が動くことで揺動する。
この一対のア−ムからなる延設片３、３は重り部２の左側と右側に設けられており、それぞれの延設片３、３の先端側に捕獲部４、４が取り付けられている。
延設片３、３の先端側の捕獲部４、４を取り付けた位置は糸掛け部１、１より上方側で、捕獲部４、４は釣り糸７より上方から重り部２より下方に至るように設けられ、ルア−６の釣り針８、８に掛かりやすく糸掛け部１、１を掛けた釣り糸７は１対の延設片３、３の間の間隙を通るようになっており、捕獲部４、４はそれぞれルア−６の左右に垂下されて、ルア−６のボディを避けて、ルア−６の左右から釣り針８、８に容易に掛かるようになっている。
【００１１】
この釣り用ルア−回収具の糸掛け部１、１を根掛かりした仕掛けの釣り糸７に引っ掛けて釣り糸７に沿ってスライドさせると、前方側の糸掛け部１がルア−６前端側の釣り糸係止部付近になるまで移動する。
ルア−６の釣り針８、８はルア−６の釣り糸７を接続した部位より後端側でルア−本体下側の長手方向の中央付近か又は後端側に設けられることが多く、延設片３、３が前方に突出しているため捕獲部４、４がルア−６の釣り針８、８方向に突き出された状態となって捕獲部４、４が釣り針８、８の近傍に配置されるか又は釣り針８、８の近傍を通ることとなる。
従って、捕獲部４、４をよりもどしやスナップよりも確実に係合し捕獲しやすい釣り針８、８に絡んで捕獲できる。
また、延設片３、３の先端側の捕獲部４、４を取り付けた位置は糸掛け部１、１より上方側であるため、糸掛け部１、１がルア−６前端側の釣り糸係止部付近に達したときに捕獲部４、４がこれより高い位置から垂下されているため釣り針８、８がルア−６の釣り糸７を接続した部位に近い高さに設けられていてもルア−６の釣り針８、８に接触しやすくなっている。
釣り用ルア−回収具後方側（重り部２の後方側）に紐状部材５が取り付けられており、捕獲部４、４にルア−６の釣り針８、８が係合したときに紐状部材５を引いて根掛かりを外し、そのまま紐状部材５を引いてルア−６を引き寄せ回収する。
【００１２】
前記のように釣り用ルア−回収具が構成されていると、複数のリング状部材を揺動可能に連結した鎖状の捕獲部４、４のリングの孔などにルア−６の釣り針８、８が係合しやすく、ルア−６を確実に回収しやすくなる。
【実施例２】
【００１３】
図３、図４は第２実施例で、図３は根掛かりしたルア−に接続された釣り糸に取り付けられて滑り降ろされた釣り用ルア−回収具の斜視図、図４は根掛かりしたルア−に釣り用ルア−回収具の捕獲部が絡まされた斜視図である。
【００１４】
第２実施例では、糸掛け部１′が前後方向に延びるフックで、糸を引っ掛ける部分が筒状に形成されている。
延設片９は前方に向けて徐々に広がる円錐形の筒状に形成され、先端側に開口部９ａを有し、上方にはその開口部９ａに連なる孔９ｂが形成され、釣り糸７が通されるようになっている。
筒状の延設片９の小径側は重り部２の前端に固定されている。
筒状の延設片９の先端側の上方に金属又は合成樹脂の網状の第１捕獲部４′、４′が帯状に形成され揺動自在に垂下させて取り付けられている。
筒状の延設片９の先端側の孔９ｂの左右に設けた一対の第１捕獲部４′、４′の取付位置は糸掛け部１′より上方側である。
更に、重り部２の前方側に網状の第２捕獲部４″の一端が取り付けられ、その他端が筒状の延設片９の開口部９ａの下方側から外側へ突出し垂下している。
他の構成は前記第１実施例と略同一である。
【００１５】
この釣り用ルア−回収具の糸掛け部１′を根掛かりした仕掛けの釣り糸７に引っ掛けて釣り糸７に沿ってスライドさせると、糸掛け部１′がルア−６前端側の釣り糸係止部付近に移動したときに筒状の延設片９の内部にルア−６の少なくとも一部が入り込み第１捕獲部４′、４′または第２捕獲部４″がルア−６の釣り針８、８に係合し、重り部２の後方側に紐状部材５を引いて根掛かりを外し、そのまま紐状部材５を引いてルア−６を引き寄せ回収する。
筒状の延設片９の中にルア−６を引き込むと、回収中に再度根掛かりすることが防止される。
なお、第２捕獲部４″は省略してもよい。
【００１６】
第２実施例のように釣り用ルア−回収具が構成されると、筒状の延設片９の内部にルア−６の少なくとも一部が入り込み釣り針８、８が第１捕獲部４′、４′または第２捕獲部４″の網の目などの孔に係合しやすくなる。
尚、本願の釣り用ルア−回収具の重り部２は、糸掛け部１、１′をその一部としており、一体に形成してもよい。
したがって、延設片３、９は糸掛け部１、１′に設けてもよい。
【産業上の利用可能性】
【００１７】
本発明は釣り用ルア−回収具全般に利用できる。
【図面の簡単な説明】
【００１８】
【図１】第１実施例で、根掛かりしたルア−に接続された釣り糸に取り付けられて滑り降ろされた釣り用ルア−回収具の斜視図である。
【図２】同根掛かりしたルア−に釣り用ルア−回収具の捕獲部が絡まされた斜視図である。
【図３】第２実施例で、根掛かりしたルア−に接続された釣り糸に取り付けられて滑り降ろされた釣り用ルア−回収具の斜視図である。
【図４】同根掛かりしたルア−に釣り用ルア−回収具の捕獲部が絡まされた斜視図である。
【図５】従来の釣り用ルア−回収具の斜視図である。
【符号の説明】
【００１９】
１、１′  糸掛け部
２  重り部
３、９  延設片
４、４′、４″  捕獲部
６  ルア−
９ａ  開口部
【図１】
0004738915.tif 000002
【図２】
0004738915.tif 000003
【図３】
0004738915.tif 000004
【図４】
0004738915.tif 000005
【図５】
0004738915.tif 000006